(57)【要約】【課題】固着具を仮保持するための固着具保持部材を後加工にて吊具本体に付随させることが可能な軒樋吊具を提供する。【解決手段】建物に取付固定される取付部３の建物側の面３ａに凹溝４が形成され、その凹溝４に取付孔が設けられている吊具本体２と、固着具の挿通孔２８，２９，３０を内側に形成し仮留め部３１，３２，３３を設けた筒部およびその一端部外周に基台部２４を有する固着具保持部材２０とを備え、固着具保持部材２０の筒部の他端部には係止部２５，２６，２７が設けられている軒樋吊具１であって、吊具本体２の取付部３の取付孔に固着具保持部材２０の筒部が嵌め込まれて、凹溝４の表面に基台部２４の屋外側の面が当接し吊具本体２の取付部３の取付孔の屋外側孔縁部に固着具保持部材２０の筒部の係止部２５，２６，２７が係止して、吊具本体２に固着具保持部材２０が保持されて一体化する。【選択図】図１
2010229689.tif 000002
【特許請求の範囲】
【請求項１】
建物に固着具で取付固定される取付部を有し、この取付部の建物側の面に凹溝が形成され、その凹溝に建物側から屋外側に貫通する取付孔が設けられている軒樋を支持する吊具本体と、固着具の挿通孔を内側に形成し固着具を仮保持するための仮留め部を設けた筒部およびその一端部外周に基台部を有する固着具保持部材とを備え、固着具保持部材の筒部の他端部には係止部が設けられている軒樋吊具であって、
吊具本体と固着具保持部材は別体であり、吊具本体の取付部の取付孔に固着具保持部材の筒部が嵌め込まれて吊具本体の取付部の凹溝に固着具保持部材の基台部が配置され、凹溝の表面に基台部の屋外側の面が当接し吊具本体の取付部の取付孔の屋外側孔縁部に固着具保持部材の筒部の係止部が係止して、吊具本体に固着具保持部材が保持されて一体化することを特徴とする軒樋吊具。
【請求項２】
吊具本体の取付部の取付孔が複数であり、その取付孔に対応する筒部の各々が基台部を介して連結されて固着具保持部材が構成されていることを特徴とする請求項１に記載の軒樋吊具。
【請求項３】
固着具保持部材の筒部の係止部は、リブ状に形成され、筒部の他端部外周の上下左右の４箇所に突設されていることを特徴とする請求項１または２に記載の軒樋吊具。
【請求項４】
固着具保持部材の筒部の仮留め部は、筒部の他端部の内側方向に突設されており、筒部の挿通孔の孔径が仮留め部において固着具の外径よりも小さくなっていることを特徴とする請求項１から３のいずれか一項に記載の軒樋吊具。
【請求項５】
吊具本体の取付部の取付孔およびその取付孔に嵌め込まれる固着具保持部材の筒部の挿通孔は、断面視長孔状の貫通孔であり、その固着具保持部材の筒部の仮留め部は、筒部の他端部において挿通孔の相対する２箇所から長手方向に突設されており、相対する仮留め部の間隔が固着具の外径よりも小さくなっていることを特徴とする請求項１から４のいずれか一項に記載の軒樋吊具。
【請求項６】
固着具保持部材の筒部の他端部に、吊具本体の取付部の取付孔に固着具保持部材の筒部が嵌め込まれた状態においてその取付孔より突出する緩衝部が設けられていることを特徴とする請求項１から５のいずれか一項に記載の軒樋吊具。
【請求項７】
吊具本体の取付部の取付孔およびそれに嵌め込まれる固着具保持部材の筒部の外形は、建物側から屋外側に向かって径が漸次小さくなって形成されていることを特徴とする請求項１から６のいずれか一項に記載の軒樋吊具。
【発明の詳細な説明】
【技術分野】
【０００１】
本発明は、軒樋吊具に関するものである。
【背景技術】
【０００２】
軒樋吊具は、一般的にはビスを用いて鼻板に固定されるが、その固定作業は、片方の手で軒樋吊具の取付部を鼻板にあてがいながらドライバー等の工具でビス締めするため、高所での施工がしにくく、しかも、ビスが取付部のビス孔から脱落しやすいという問題があった。そこでこの問題を解決するために、本出願人は、ビス孔が形成され、入側端部にビスを遊貫状態で仮り保持するための仮保持部を筒部に一体に突設したビス保持用リング等の固着具保持部材を取付部の取付孔にビス保持用リングの筒部を挿通して固着具保持部材を付随させた軒樋吊具を提案している（例えば、特許文献１参照）。
【０００３】
上記のように固着具保持部材を付随させた軒樋吊具は、現状では、２色成形により取付部を含む吊具本体に固着具保持部材を付随させる方法、もしくは、固着具保持部材を別途成形して後加工にて吊具本体の取付部に固着具保持部材を付随させる方法によって製造される。このような方法は、吊具本体および固着具保持部材の形状に応じて現状の成型機や金型構造、また納期等を重視して選択され、工法としては単一の方法で軒樋吊具を製造することが基本となっている。図７は２色成形して製造される従来の軒樋吊具の一例である。図７の軒樋吊具１の吊具本体２と固着具保持部材２０が明確になるように図８に分解斜視図を示すが、実際には吊具本体２と固着具保持部材２０は一体構造で成形される。この例では、取付部３を含む吊具本体２をポリカーボネート樹脂で成形し、次いで取付部３の左右両側の取付孔５，６，７に固着具保持部材２０の筒部２１，２２，２３を、取付部３の凹溝４に固着具保持部材２０の基台部２４を形成して、吊具本体２と固着具保持部材２０が一体構造になるように固着具保持部材２０をポリプロピレン樹脂で２色成形している。また、図７−８の例では、１点ゲートで固着具保持部材２０を成形するために左右両側の固着具保持部材２０が渡し部３７を介して接続されている。しかしながら、軒樋吊具１の生産数や種別が多くなり、成形機の状況等によって２色成形で軒樋吊具１を製造することができなくなった場合、図７−８の軒樋吊具１は固着具保持部材２０を別途成形して後加工にて吊具本体２の取付部３に固着具保持部材２０を付随させる方法で製造することができず、その結果、軒樋吊具１の生産に支障をきたすおそれがある。
【先行技術文献】
【特許文献】
【０００４】
【特許文献１】特開２００７−２９１７４２号公報
【発明の概要】
【発明が解決しようとする課題】
【０００５】
本発明は、以上の通りの事情に鑑みてなされたものであり、固着具を仮保持するための固着具保持部材を後加工にて吊具本体に付随させることが可能な軒樋吊具を提供することを課題としている。
【課題を解決するための手段】
【０００６】
本発明は、上記の課題を解決するために、以下のことを特徴としている。
【０００７】
第１には、建物に固着具で取付固定される取付部を有し、この取付部の建物側の面に凹溝が形成され、その凹溝に建物側から屋外側に貫通する取付孔が設けられている軒樋を支持する吊具本体と、固着具の挿通孔を内側に形成し固着具を仮保持するための仮留め部を設けた筒部およびその一端部外周に基台部を有する固着具保持部材とを備え、固着具保持部材の筒部の他端部には係止部が設けられている軒樋吊具であって、吊具本体と固着具保持部材は別体であり、吊具本体の取付部の取付孔に固着具保持部材の筒部が嵌め込まれて吊具本体の取付部の凹溝に固着具保持部材の基台部が配置され、凹溝の表面に基台部の屋外側の面が当接し吊具本体の取付部の取付孔の屋外側孔縁部に固着具保持部材の筒部の係止部が係止して、吊具本体に固着具保持部材が保持されて一体化する。
【０００８】
第２には、上記第１の発明において、吊具本体の取付部の取付孔が複数であり、その取付孔に対応する筒部の各々が基台部を介して連結されて固着具保持部材が構成されている。
【０００９】
第３には、上記第１または第２の発明において、固着具保持部材の筒部の係止部は、リブ状に形成され、筒部の他端部外周の上下左右の４箇所に突設されている。
【００１０】
第４には、上記第１から第３のいずれかの発明において、固着具保持部材の筒部の仮留め部は、筒部の他端部の内側方向に突設されており、筒部の挿通孔の孔径が仮留め部において固着具の外径よりも小さくなっている。
【００１１】
第５には、上記第１から第４のいずれかの発明において、吊具本体の取付部の取付孔およびその取付孔に嵌め込まれる固着具保持部材の筒部の挿通孔は、断面視長孔状の貫通孔であり、その固着具保持部材の筒部の仮留め部は、筒部の他端部において挿通孔の相対する２箇所から長手方向に突設されており、相対する仮留め部の間隔が固着具の外径よりも小さくなっている。
【００１２】
第６には、上記第１から第５のいずれかの発明において、固着具保持部材の筒部の他端部に、吊具本体の取付部の取付孔に固着具保持部材の筒部が嵌め込まれた状態においてその取付孔より突出する緩衝部が設けられている。
【００１３】
第７には、上記第１から第６のいずれかの発明において、吊具本体の取付部の取付孔およびそれに嵌め込まれる固着具保持部材の筒部の外形は、建物側から屋外側に向かって径が漸次小さくなって形成されている。
【発明の効果】
【００１４】
第１の発明によれば、固着具保持部材の筒部の一端部外周の基台部および前記筒部の他端部に設けられた係止部によって吊具本体の取付部を挟持して取付部の取付孔に固着具保持部材の筒部を固定できるので、固着具保持部材を吊具本体に確実に固定させることができる。また、固着具保持部材の筒部に仮留め部が設けられているので、高所でのビス等の固着具の取付作業を容易にし、しかも固着具の落下、紛失を防止することができる。
【００１５】
第２の発明によれば、吊具本体の取付部に取付孔が複数設けられている場合において、この取付孔に対応する筒部を取付部の取付孔の各々に同時に、かつ、容易に嵌め込むことが可能になり、吊具本体への固着具保持部材の取付作業が容易になり、施工性がより良好となる。
【００１６】
第３の発明によれば、筒部の他端部外周の上下左右の４方向にリブ状の係止部が形成されているので、取付部の取付孔に固着具保持部材の筒部をより確実に固定することができる。
【００１７】
第４の発明および第５の発明によれば、固着具保持部材の筒部の仮留め部における挿通孔の孔径もしくは仮留め保持部間の間隔が固着具の外形よりも小さくなっているので、固着具の保持力が高まり、効果的に固着具を仮保持することができる。
【００１８】
第６の発明によれば、固着具保持部材の筒部の挿通孔に固着具を挿通して軒樋吊具を建物に固定する際に、固着具の頭部と固着具保持部材の取付部の屋外側の面との間で固着具保持部材の筒部の他端部の緩衝部が緩衝材として機能するため、固着具の頭部で固着具保持部材の取付部を傷つけることがない。また、固着具の頭部の取付部の取付孔の屋外側孔縁部に対する応力集中を緩和する効果もある。
【００１９】
第７の発明によれば、吊具本体の取付部の取付孔への固着具保持部材の筒部の嵌め込みを容易に行うことが可能になり、吊具本体への固着具保持部材の取付作業が容易になり、施工性が良好となる。
【図面の簡単な説明】
【００２０】
【図１】本発明の軒樋吊具の一実施形態を示した斜視図であり、（ａ）は屋外側（前方）からの斜視図であり、（ｂ）は建物側（後方）からの斜視図である。
【図２】図１の軒樋吊具の分解斜視図である。
【図３】図１の軒樋吊具に用いられる固着具保持部材の斜視図であり、（ａ）は屋外側（前方）からの斜視図であり、（ｂ）は建物側（後方）からの斜視図である。
【図４】固着具保持部材の吊具本体の取付部への取り付けを説明するための断面図である。
【図５】軒樋吊具の建物への取り付けを説明するための要部断面図である。
【図６】図１の軒樋吊具で軒樋が支持されている状態の側面図である。
【図７】２色成形して製造される従来の軒樋吊具の一例である。
【図８】図６の軒樋吊具の分解斜視図である。
【発明を実施するための形態】
【００２１】
図１は、本発明の軒樋吊具の一実施形態を示した斜視図であり、（ａ）は屋外側（前方）からの斜視図であり、（ｂ）は建物側（後方）からの斜視図である。図２は、図１の軒樋吊具の分解斜視図である。図３は、図１の軒樋吊具に用いられる固着具保持部材の斜視図であり、（ａ）は屋外側（前方）からの斜視図であり、（ｂ）は建物側（後方）からの斜視図である。図４は、固着具保持部材の吊具本体の取付部への取り付けを説明するための断面図であり、図５は、軒樋吊具の建物への取り付けを説明するための要部断面図である。図６は、図１の軒樋吊具で軒樋が支持されている状態の側面図である。
【００２２】
本実施形態の軒樋吊具１は、軒樋１３を支持する吊具本体２と、この吊具本体２に固定され、軒樋吊具１にビス、釘等の固着具１５の仮留め構造を付随させるための固着具保持部材２０とを備えており、吊具本体２と固着具保持部材２０はそれぞれ別体として構成されている。
【００２３】
吊具本体２は、従来の軒樋吊具と同様な構成を有しており、ポリカーボネート等の樹脂材料からなり、鉛直または略鉛直方向に配置される板状の取付部３を備え、取付部３の屋外側の面３ｂ（前面）の上端部に吊部８が略垂直に突設されている。この吊具本体２は、吊部８の前方先端が下方に一段下がる段部９が形成されており、その段部９に上下に貫通する連結孔１０が形成され、その連結孔１０に連結具１１を挿通して軒樋１３を支持する軒樋支持部１２を連結している。軒樋支持部１２は、吊具本体２の取付部３に対して前後方向にスライドして前後方向の任意の位置に位置決め可能にされて吊部８と連結することができる構成になっている。具体的には、軒樋支持部１２を構成する水平板１２１に前後方向に長い長孔が上下に貫通して形成され、この長孔の前後の任意の位置に吊部８の段部９の連結孔１０が位置するように位置決めして連結具１１を連結孔１０および軒樋支持部１２の水平板１２１の長孔に挿通して吊部８と軒樋支持部１２を連結、固定している。
【００２４】
軒樋支持部１２は、軒樋１３を内側から支持することができるように、前端部上端には、軒樋１３の前壁上端部に設けられた前耳部１３１を係止して支持する前側係止部１２２を有し、後端部下側には、軒樋１３の後壁上端部に設けられた後耳部１３２を係止して支持する後側係止部１２３を有している。
【００２５】
なお、本実施形態では、吊具本体２の構成として、取付部３に対して軒樋支持部１２が前後方向にスライドして吊部８に連結、固定され、この軒樋支持部１２に軒樋１３が支持される構成を有しているが、この構成に限定されず、例えば、吊具本体の吊部の前端部上端に軒樋の前壁上端部の前耳部を係止して支持する前側係止部を形成し、後端部下側に軒樋の後壁上端部の後耳部を係止して支持する後側係止部を形成して、軒樋を吊具で内側から支持する構成としてもよい。
【００２６】
吊具本体２の取付部３は、鼻隠し板等の建物１４に固着具１５で取付固定される部材である。取付部３の建物側の面３ａの左右両側および上部に凹溝４がコ字状に形成されており、吊具本体２に固着具保持部材２０を２色成形して固定させる場合に固着具保持部材２０の配置用として設けられており、本実施形態においても、後述するように、固着具保持部材２０を後加工にて吊具本体２に固定させるときの固着具保持部材２０の配置用として設けられている。
【００２７】
吊具本体２の取付部３の左右両側の凹溝４には、それぞれ取付孔５，６，７が建物側から屋内側に貫通して形成され、縦列して配置されている。取付孔５，６，７は、用いる固着具１５の種類や外径などに応じ、また、位置調整などを可能とするために、互いに異なる形状とされている。一番上の取付孔５は、その下の取付孔６より直径の小さい円形孔とされている。一番下の取付孔７は断面視で長孔状とされ、固着具１５の挿入位置を可変としている。また、取付孔５，６，７は、建物側から屋内側に向かって径が漸次小さくなって、その断面形状が円錐台状に形成されており、固着具保持部材２０の筒部２１，２２，２３の嵌め込みを容易にしている。
【００２８】
固着具保持部材２０は、吊具本体２を構成する樹脂材料よりも軟質の樹脂材料で構成されていることが好ましく、例えば、ポリプロピレン等の樹脂材料で構成されている。この固着具保持部材２０は、吊具本体２の取付部３の取付孔５，６，７に嵌め込まれる筒部２１，２２，２３と、吊具本体２の取付部３の凹溝４に配置される板状の基台部２４を備え、これら筒部２１，２２，２３はその一端部外周で基台部２４を介して連結されている。固着具保持部材２０の筒部２１，２２，２３はそれぞれ、吊具本体２の取付部３の取付孔５，６，７に対応する位置に縦列に基台部２４に配置されている。基台部２４は、凹溝４に配置されるように凹溝４に対応した外形形状を有し、細板状に形成されている。
【００２９】
筒部２１，２２，２３の他端部には複数の係止部２５，２６，２７がリブ状に形成されて設けられており、本実施形態では、筒部２１，２２，２３の他端部外周の上下左右の４箇所に半円形状を有する薄板状の突起片が係止部２５，２６，２７として外方に突設されている。もちろん、係止部の形状、数、位置等はこれに限定されるものではなく、例えば、筒部の他端部の外周にフランジ状に係止部を形成してもよいし、薄板状の突起片を筒部の他端部外周に上下もしくは左右に２箇所、または等間隔に３箇所もしくは５箇所以上に形成するようにしてもよい。
【００３０】
筒部２１，２２，２３の内側には貫通孔である挿通孔２８，２９，３０が形成され、固着具１５が挿通可能なように挿通孔２８，２９，３０の孔径が固着具１５の外径よりも大きくなるように設定されている。吊具本体２の取付部３の一番上の取付孔５とその下の取付孔６に嵌め込まれる筒部２１，２２の挿通孔２８，２９は、円形孔とされ、取付孔５，６と同様に、筒部２１の挿通孔２８の直径はその下の筒部２２の挿通孔２９の直径よりも小さくなっている。取付部３の一番下の取付孔７に嵌め込まれる筒部２３の挿通孔３０は、断面視で長孔状とされ、固着具１５の挿入位置を可変としている。
【００３１】
また、筒部２１，２２，２３には固着具１５を遊貫状態で仮保持するための仮留め部３１，３２，３３が設けられている。仮留め部３１，３２，３３は、例えば、リブ状に形成され、挿通孔２８，２９，３０の孔径が固着具１５の外径よりも小さくなるように挿通孔２８，２９，３０の内方に突設されている。本実施形態では、筒部２１の仮留め部３１は、筒部２１の他端部内周に薄板状の突起片が円弧状に形成され、内周方向の３箇所で等間隔に切り欠かれており、円弧状の突起片でなす孔径が固着具１５の外径よりも小さくなっている。筒部２２の仮留め部３２の構成は、筒部２１の仮留め部３１と同様の構成をしているので説明を省略する。筒部２３の仮留め部３３は、筒部２３の他端部内周に相対する両側２箇所から挿通孔３０の長手方向に沿って薄板状の突起片が形成されており、相対する突起片の間隔が固着具１５の外径よりも小さくなっている。このように仮留め部３１，３２，３３が設けられた筒部２１，２２，２３が取付孔５，６，７に嵌め込まれて固着具１５の仮留め構造を付随させた軒樋吊具１は、建物１４への取付作業の際、予め固着具１５を筒部２１，２２，２３の仮留め部３１，３２，３３に仮保持し、その状態で建物１４に軒樋吊具１を取り付けて固着具１５を固着させ、軒樋吊具１を固定することができるので、高所で行われる軒樋吊具１の取付作業が容易となる。また、取付作業時に固着具１５の落下を防止でき、その結果、固着具１５の紛失を防止することができる。
【００３２】
また、筒部２１，２２，２３の他端部には、吊具本体２の取付部３の取付孔５，６，７に固着具保持部材２０の筒部２１，２２，２３が嵌め込まれた状態においてその取付孔５，６，７より突出する緩衝部が設けられていてもよい。本実施形態では、筒部２１，２２，２３の他端部に設けた係止部２５，２６，２７および仮留め部３１，３２，３３が緩衝部を兼ねる。固着具保持部材２０の筒部２１，２２，２３の挿通孔２８，２９，３０に固着具１５を挿通して軒樋吊具１を建物１４に固定する際に、固着具１５の頭部１５ａと吊具本体２の取付部３の屋外側の面３ｂとの間で固着具保持部材２０の筒部２１，２２，２３の他端部の緩衝部が緩衝材として機能するため、固着具１５の頭部１５ａで吊具本体２の取付部３を傷つけることがない。また、吊具本体２の取付部３の取付孔５，６，７の屋外側孔縁部に対する固着具１５の頭部１５ａの応力集中を緩和する効果もある。
【００３３】
筒部２１，２２，２３の外形は、対応する取付孔５，６，７の形状と同じ形状を有している。本実施形態では、取付孔５，６，７の形状と同様、建物側から屋内側に向かって径が漸次小さくなり、断面形状が円錐台状に形成されており、嵌め込み可能なように、対応する取付孔５，６，７の孔径よりもやや小さくなるように設定されている。
【００３４】
本実施形態では、固着具保持部材２０が吊具本体２の取付部３に固定された状態において、固着具保持部材２０の基台部２４の建物側の面２４ａが、取付部３の建物側の面３ａよりも突出するように凹溝４の深さもしくは基台部２４の厚みが設定されており、軒樋吊具１が建物１４に取り付け固定されるときにはその基台部２４の建物側の面２４ａが建物１４に当接するようにしている。その際、基台部２４の建物側の面２４ａが建物１４と密着してしまう場合があるので、挿通孔２８，２９，３０の建物側の孔縁部にリング状突起３４，３５，３６を設けて建物１４との密着を防止している。
【００３５】
以上の固着具保持部材２０は吊具本体２の取付部３の建物側の面３ａに取り付け固定されるものであり、本実施形態においては、固着具保持部材２０は２つ準備され、それぞれが取付部３の左右の凹溝４に配置され、凹溝４に縦列に形成された取付孔５，６，７に各固着具保持部材２０の筒部２１，２２，２３の各々が嵌め込まれる。固着具保持部材２０の筒部２１，２２，２３が吊具本体２の取付部３の取付孔５，６，７に嵌め込まれて取付部３に固着具保持部材２０が固定された状態において、筒部２１，２２，２３の挿通孔２８，２９，３０に屋外側から固着具１５を挿通して建物１４に固着することにより吊具本体１が建物１４に固定される。
【００３６】
固着具保持部材２０の吊具本体２の取付部３への取り付けは、吊具本体２の取付部３の凹溝４の表面４ａに固着具保持部材２０の基台部２４の屋外側の面２４ｂが当接するまで筒部２１，２２，２３を取付孔５，６，７に嵌め込むようにし、その状態において筒部２１，２２，２３の他端部が取付孔５，６，７より突出し、筒部２１，２２，２３の他端部外周に設けた係止部２５，２６，２７が取付孔５，６，７の屋外側の孔縁部に係止する。このように固着具保持部材２０の筒部２１，２２，２３が吊具本体２の取付孔５，６，７に嵌め込まれると、固着具保持部材２０の基台部２４と係止部２５，２６，２７によって吊具本体２の取付部３が挟持されて取付孔５，６，７に筒部２１，２２，２３が固定され、その結果、固着具保持部材２０も吊具本体２に固定されて一体化する。
【００３７】
固着具保持部材２０の筒部２１，２２，２３を吊具本体２の取付部３の取付孔５，６，７に嵌め込むにあたり、取付孔５，６，７および筒部２１，２２，２３の外形が建物側から屋外側に向かって径が漸次小さくなって形成されているので、吊具本体２の取付部３に対する固着具保持部材２０の位置決めが容易になるとともに吊具本体２の取付部３への固着具保持部材２０の取付作業が容易になり、施工性が良好となる。なお、その取付作業に際し、筒部２１，２２，２３の他端部に設けた係止部２５，２６，２７が取付孔５，６，７に干渉して筒部挿入の抵抗となるが、筒部２１，２２，２３は内側に挿通孔２８，２９，３０を形成していて筒部２１，２２，２３の他端部の中央部が開口しており、また固着具保持部材２０を構成する樹脂材料が吊具本体２を構成する樹脂材料よりも軟質であるため、筒部挿入の際には筒部２１，２２，２３の他端部がたわみ、変形して係止部２５，２６，２７の取付孔５，６，７に対する干渉が弱まり抵抗が小さくなるので、取付作業に支障はでない。
【符号の説明】
【００３８】
１  軒樋吊具
２  吊具本体
３  取付部
４  凹溝
４ａ  表面
５，６，７  取付孔
１３  軒樋
１４  建物
１５  固着具
２０  固着具保持部材
２１，２２，２３  筒部
２４  基台部
２５，２６，２７  係止部
２８，２９，３０  挿通孔
３１，３２，３３  仮留め部
【図１】
2010229689.tif 000003
【図２】
2010229689.tif 000004
【図３】
2010229689.tif 000005
【図４】
2010229689.tif 000006
【図５】
2010229689.tif 000007
【図６】
2010229689.tif 000008
【図７】
2010229689.tif 000009
【図８】
2010229689.tif 000010